(57)【特許請求の範囲】
【請求項１】
同一映像ジャンルの２以上の編集映像データにて構成される複数の編集映像群データからなる映像情報が記憶された映像情報記憶手段と、前記映像情報記憶手段に記憶された映像情報から任意の編集映像群データの編集映像データを読み出す映像情報読出手段と、前記映像情報読出手段により読み出した編集映像データをカラオケ曲の演奏に対応させて表示する映像表示手段と、少なくとも前記編集映像群データを識別するジャンル識別コードと前記編集映像データを識別する映像識別コードとから構成される複数の再生コードからなる再生コード情報をカラオケ曲情報から取り出し記憶する再生コード情報取出手段とを備えた映像再生装置であって、
前記編集映像データの表示履歴を記憶する表示履歴記憶手段を備え、
前記再生コード情報取出手段によりカラオケ曲情報から取り出し記憶された再生コード情報を読み出し、該再生コード情報の各再生コードのジャンル識別コードに対応する編集映像群データを構成する複数の編集映像データから前記表示履歴記憶手段に記憶されている表示履歴が未表示の一の編集映像データをランダムに選択し、該選択した一の編集映像データの映像識別コードを前記再生コード情報の各再生コードの映像識別コードと置き換えて、前記再生コード情報取出手段に記憶し、該再生コード情報の各再生コードに対応する編集映像データを映像情報読出手段により映像情報記憶手段から読み出し、前記各再生コードの並び順に該読み出した編集映像データを映像表示手段によりカラオケ曲の演奏に対応させて表示し、前記表示履歴記憶手段に表示履歴を記憶し、全ての再生コードに対応する編集映像データを表示し終えると再度、前記再生コード情報取出手段により前記再生コード情報を読み出し、該再生コード情報の各再生コードのジャンル識別コードに対応する編集映像群データを構成する複数の編集映像データから前記表示履歴記憶手段に記憶されている表示履歴が未表示の一の編集映像データをランダムに選択し、該選択した一の編集映像データの映像識別コードを前記再生コード情報の各再生コードの映像識別コードと置き換えて、前記再生コード情報取出手段に記憶し、該再生コード情報の最初の再生コードから順次各再生コードに対応する編集映像データを表示し、表示履歴を記憶することを特徴とする映像再生装置。
【請求項２】
前記再生コード情報取出手段によりカラオケ曲情報から取り出し記憶された再生コード情報の各再生コードに対応する編集映像データを映像情報読出手段により映像情報記憶手段から読み出し、前記各再生コードの並び順に該読み出した編集映像データを映像表示手段によりカラオケ曲の演奏に対応させて表示し、前記表示履歴記憶手段に表示履歴を記憶し、全ての再生コードに対応する編集映像データを表示し終えると、前記再生コード情報取出手段により前記再生コード情報を読み出し、該再生コード情報の各再生コードのジャンル識別コードに対応する編集映像群データを構成する複数の編集映像データから前記表示履歴記憶手段に記憶されている表示履歴が未表示の一の編集映像データをランダムに選択し、該選択した一の編集映像データの映像識別コードを前記再生コード情報の各再生コードの映像識別コードと置き換えて、前記再生コード情報取出手段に記憶し、該再生コード情報の各再生コードに対応する編集映像データを映像情報読出手段により映像情報記憶手段から読み出し、前記各再生コードの並び順に該読み出した編集映像データを映像表示手段によりカラオケ曲の演奏に対応させて表示し、前記表示履歴記憶手段に表示履歴を記憶し、全ての再生コードに対応する編集映像データを表示し終えると再度、前記再生コード情報取出手段により前記再生コード情報を読み出し、該再生コード情報の各再生コードのジャンル識別コードに対応する編集映像群データを構成する複数の編集映像データから前記表示履歴記憶手段に記憶されている表示履歴が未表示の一の編集映像データをランダムに選択し、該選択した一の編集映像データの映像識別コードを前記再生コード情報の各再生コードの映像識別コードと置き換えて、前記再生コード情報取出手段に記憶し、該再生コード情報の最初の再生コードから順次各再生コードに対応する編集映像データを表示し、表示履歴を記憶することを特徴とする請求項１記載の映像再生装置。
【発明の詳細な説明】
【０００１】
【発明の属する技術分野】
本発明は、カラオケ曲情報の演奏に対応させて歌詞表示の背景に映像を再生表示する映像再生装置に関し、特にカラオケ曲情報に予め映像の選択情報を付加することにより、演奏中に同じ映像が表示されることがなく、また、曲の内容に適した背景映像を表示することが可能な映像再生装置に関するものである。
【０００２】
【従来の技術】
従来のカラオケ装置では、映像データとカラオケ曲情報とを一曲毎に記憶したビデオディスク等を再生することによりカラオケ曲を出力してきた。このようなカラオケ装置に用いられるビデオディスク等に記憶されている映像データは、演奏データのイメージに合致するよう編集されており、一の曲に対しては一の映像が対応するものである。従って、一曲、一曲の演奏イメージに合致した背景画像が得られ、視覚的にも利用者を満足させることができた。
【０００３】
しかし、このようなカラオケ装置を業務用に用いる場合、利用者のリクエストニーズに応えるためには、装置１台当り数千曲ものカラオケ曲情報等が必要となり、一曲毎に別個のデータとして映像データ等を記憶しているビデオディスクを数多く用意する必要があった。これら多数枚のビデオディスクは、専用の収納ケースに収納され、オートチェンジャ等を用いてリクエストに応じたディスクが選択、再生されるものであるから、多くのディスクを収納する専用収納ケース及びオートチェンジャが占有する面積が大きくなり、特に業務用としてはコンパクト化が希求されていた。
【０００４】
そこで、カラオケ装置をコンパクト化するため一案として実現されているのが、カラオケ曲情報をカラオケ演奏装置に記憶させ、別に映像データを映像再生装置に記憶させておき、カラオケ曲情報再生時に、映像再生装置によりカラオケ曲に適した同じ映像ジャンルの映像データが多数編集された映像データ群の中からランダムに映像データを選択し、順次読み出して、カラオケ曲情報の演奏に対応させて歌詞表示の背景に映像を再生表示している。これにより、一の曲に対して一の映像データを記憶する必要が無くなり、映像再生装置をコンパクト化することが可能になっている。
【０００５】
【発明が解決しようとする課題】
しかしながら、前記従来の映像再生装置においては、ランダムに映像データを選択するので、カラオケ曲演奏中に同じ映像データが繰り返し再生されるという問題がある。また、曲の内容に適さない映像が選択されるという問題がある。さらに、再生された映像データに全体としての統一性が希薄となり、かえって利用者に違和感を抱かせるという問題がある。
【０００６】
そこで、本発明は、上述した問題点を解決するためになされたものであり、各カラオケ曲情報に付加された映像の選択を指示する情報に基づいて、映像データを選択して表示することにより、同じ映像データを繰り返さずに表示することが可能であり、また、曲の内容に合致した映像を選択することが可能な映像再生装置を提供することを目的とする。
さらに、再生された映像データに全体としての統一性が有り、利用者に違和感を抱かせることが無く、視覚的効果を高めることが可能な映像再生装置を提供することを目的とする。
【０００７】
【課題を解決するための手段】
【０００８】
【０００９】
また、請求項１に係る映像再生装置は、同一映像ジャンルの２以上の編集映像データにて構成される複数の編集映像群データからなる映像情報が記憶された映像情報記憶手段と、前記映像情報記憶手段に記憶された映像情報から任意の編集映像群データの編集映像データを読み出す映像情報読出手段と、前記映像情報読出手段により読み出した編集映像データをカラオケ曲の演奏に対応させて表示する映像表示手段と、少なくとも前記編集映像群データを識別するジャンル識別コードと前記編集映像データを識別する映像識別コードとから構成される複数の再生コードからなる再生コード情報をカラオケ曲情報から取り出し記憶する再生コード情報取出手段とを備えた映像再生装置であって、前記編集映像データの表示履歴を記憶する表示履歴記憶手段を備え、前記再生コード情報取出手段によりカラオケ曲情報から取り出し記憶された再生コード情報を読み出し、該再生コード情報の各再生コードのジャンル識別コードに対応する編集映像群データを構成する複数の編集映像データから前記表示履歴記憶手段に記憶されている表示履歴が未表示の一の編集映像データをランダムに選択し、該選択した一の編集映像データの映像識別コードを前記再生コード情報の各再生コードの映像識別コードと置き換えて、前記再生コード情報取出手段に記憶し、該再生コード情報の各再生コードに対応する編集映像データを映像情報読出手段により映像情報記憶手段から読み出し、前記各再生コードの並び順に該読み出した編集映像データを映像表示手段によりカラオケ曲の演奏に対応させて表示し、前記表示履歴記憶手段に表示履歴を記憶し、全ての再生コードに対応する編集映像データを表示し終えると再度、前記再生コード情報取出手段により前記再生コード情報を読み出し、該再生コード情報の各再生コードのジャンル識別コードに対応する編集映像群データを構成する複数の編集映像データから前記表示履歴記憶手段に記憶されている表示履歴が未表示の一の編集映像データをランダムに選択し、該選択した一の編集映像データの映像識別コードを前記再生コード情報の各再生コードの映像識別コードと置き換えて、前記再生コード情報取出手段に記憶し、該再生コード情報の最初の再生コードから順次各再生コードに対応する編集映像データを表示し、表示履歴を記憶することを特徴とする。
【００１０】
このような特徴を有する映像再生装置においては、カラオケ曲情報から前記再生コード情報を読み出し、該再生コード情報の各再生コードのジャンル識別コードに対応する映像ジャンルに属する編集映像データから、表示履歴記憶手段に記憶されている表示履歴が未表示の一の編集映像データをランダムに選び、前記一の編集映像データの映像識別コードを前記再生コード情報の各再生コードの映像識別コードと置き換えて記憶し、該再生コード情報に基づいて、再生コードの並び順に各再生コードに対応する編集映像データをカラオケ曲情報の演奏に合わせて表示するとともに表示履歴を記憶し、全ての再生コードに対応する編集映像データを表示し終えると、再度、前記再生コード情報を読み出し、該再生コード情報の各再生コードのジャンル識別コードに対応する映像ジャンルに属する編集映像データから、表示履歴記憶手段に記憶されている表示履歴が未表示の一の編集映像データをランダムに選び、前記一の編集映像データの映像識別コードを前記再生コード情報の各再生コードの映像識別コードと置き換えて記憶し、該再生コード情報に基づいて、再生コードの並び順に各再生コードに対応する編集映像データをカラオケ曲情報の演奏に合わせて表示する。
これにより、同じ編集映像データを繰り返さずに表示することが可能であり、また、曲の内容に合致した映像を表示することが可能になる。さらに、再生された編集映像データに全体としての統一性が有り、利用者に違和感を抱かせることが無く、視覚的効果を高めることが可能になる。
また、同じカラオケ曲情報を繰り返し演奏しても、違う背景画を表示することが可能になるとともに、映像再生装置の記憶する編集映像データをより効率的に利用することが可能になる。
【００１１】
また、請求項２に係る映像再生装置は、請求項１の映像再生装置において、前記再生コード情報取出手段によりカラオケ曲情報から取り出し記憶された再生コード情報の各再生コードに対応する編集映像データを映像情報読出手段により映像情報記憶手段から読み出し、前記各再生コードの並び順に該読み出した編集映像データを映像表示手段によりカラオケ曲の演奏に対応させて表示し、前記表示履歴記憶手段に表示履歴を記憶し、全ての再生コードに対応する編集映像データを表示し終えると、前記再生コード情報取出手段により前記再生コード情報を読み出し、該再生コード情報の各再生コードのジャンル識別コードに対応する編集映像群データを構成する複数の編集映像データから前記表示履歴記憶手段に記憶されている表示履歴が未表示の一の編集映像データをランダムに選択し、該選択した一の編集映像データの映像識別コードを前記再生コード情報の各再生コードの映像識別コードと置き換えて、前記再生コード情報取出手段に記憶し、該再生コード情報の各再生コードに対応する編集映像データを映像情報読出手段により映像情報記憶手段から読み出し、前記各再生コードの並び順に該読み出した編集映像データを映像表示手段によりカラオケ曲の演奏に対応させて表示し、前記表示履歴記憶手段に表示履歴を記憶し、全ての再生コードに対応する編集映像データを表示し終えると再度、前記再生コード情報取出手段により前記再生コード情報を読み出し、該再生コード情報の各再生コードのジャンル識別コードに対応する編集映像群データを構成する複数の編集映像データから前記表示履歴記憶手段に記憶されている表示履歴が未表示の一の編集映像データをランダムに選択し、該選択した一の編集映像データの映像識別コードを前記再生コード情報の各再生コードの映像識別コードと置き換えて、前記再生コード情報取出手段に記憶し、該再生コード情報の最初の再生コードから順次各再生コードに対応する編集映像データを表示し、表示履歴を記憶することを特徴とする。
【００１２】
このような特徴を有する映像再生装置においては、カラオケ曲情報から前記再生コード情報を読み出し、該再生コード情報の再生コードの並び順に各再生コードに対応する編集映像データをカラオケ曲情報の演奏に合わせて表示し、前記表示履歴記憶手段に表示履歴を記憶する。
そして、全ての再生コードに対応する編集映像データを再生コードの並び順に表示し終えると、再び前記再生コード情報を読み出し、該再生コード情報の各再生コードのジャンル識別コードに対応する映像ジャンルに属する編集映像データから、表示履歴記憶手段に記憶されている表示履歴が未表示の一の編集映像データをランダムに選び、前記一の編集映像データの映像識別コードを前記再生コード情報の各再生コードの映像識別コードと置き換えて記憶し、該再生コード情報に基づいて、再生コードの並び順に各再生コードに対応する編集映像データをカラオケ曲情報の演奏に合わせて表示し、前記表示履歴記憶手段に表示履歴を記憶する。そして、全ての再生コードに対応する編集映像データを表示し終えると、再度、前記再生コード情報を読み出し、該再生コード情報の各再生コードのジャンル識別コードに対応する映像ジャンルに属する編集映像データから、表示履歴記憶手段に記憶されている表示履歴が未表示の一の編集映像データをランダムに選び、前記一の編集映像データの映像識別コードを前記再生コード情報の各再生コードの映像識別コードと置き換えて記憶し、該再生コード情報に基づいて、再生コードの並び順に各再生コードに対応する編集映像データをカラオケ曲情報の演奏に合わせて表示し、前記表示履歴記憶手段に表示履歴を記憶する。
これにより、同じ編集映像データを繰り返さずに表示することが可能であり、また、曲の内容に合致した映像を表示することが可能になる。さらに、再生された編集映像データに全体としての統一性が有り、利用者に違和感を抱かせることが無く、視覚的効果を高めることが可能になる。
また、映像再生装置の記憶する編集映像データのデータ数を少なくしても、違う背景画を表示することが可能になり、映像再生装置の記憶装置をよりコンパクト化することが可能になる。
【００１３】
【００１４】
【００１５】
【００１６】
【００１７】
【発明の実施の形態】
以下、本発明に係る映像再生装置について、本発明を具体化した実施の形態に基づき図面を参照して詳細に説明する。先ず、本実施の形態の映像再生装置の構成を図１に基づいて説明する。図１は本実施形態に係る映像再生装置のシステム構成を示すブロック図である。
図１において、映像再生装置１はカラオケ装置２と接続されている。また、映像再生装置１とカラオケ装置２との接続はRS-232Cケーブルや同軸ケーブル等により接続されている。
【００１８】
ここで、本実施形態に係る映像再生装置１は、図１に示すように、映像再生装置１全体の各機器を制御するＣＰＵ３、処理情報を一時記憶するＲＡＭ４、処理プログラムを記憶するＲＯＭ５、背景画の映像データ等が格納されたＤＶＤ−ＲＯＭ６、ＤＶＤ−ＲＯＭ６の映像データ等を読み出すＤＶＤドライブ７、ＤＶＤドライブ７からのディジタル信号をディジタルデータに変換するデータ読取回路８、読み出した圧縮データを伸長化する圧縮データ復号化回路９、復号化されたディジタル映像データをアナログ映像信号に変調して出力する映像出力回路１０、及び、カラオケ装置２と信号を送受信するためのシリアル入出力回路（以下、ＳＩＯという）１１を有している。
【００１９】
また、本実施形態に係るカラオケ装置２は、図１に示すように、カラオケ装置２全体の各機器を制御するＣＰＵ１２、映像再生装置１と信号を送受信するためのシリアル入出力回路（以下、ＳＩＯという）１３、処理情報を一時記憶するＲＡＭ１４、処理プログラムを記憶するＲＯＭ１５、ＭＩＤＩ（  Music Instrument Digital Interface  ）規格の曲データ等のカラオケ曲情報を記憶するためのハードディスクドライブ（以下、ＨＤＤという）１６、ＭＩＤＩ規格データを復調するＭＩＤＩ装置１７、演奏信号と音声信号を合成・増幅するアンプ１８、音声信号を取り込むマイク１９、スピーカ２０、ＭＩＤＩ装置１７からの歌詞データ等と前記アナログ映像信号を合成した映像データを作成してカラオケ曲の演奏に同期させて出力するビデオミキサ２１、前記映像データを表示するモニタ２２、及び、利用者がカラオケ予約情報等を入力するための入力手段２３を有している。
【００２０】
このように構成された本実施形態の映像再生装置１とカラオケ装置２は、先ず、カラオケ装置２において入力手段２３によりカラオケ曲情報が選択され、ＣＰＵ１２は該カラオケ曲情報をＨＤＤ１６より読み出し、前記カラオケ曲情報に付加されているジャンル識別コード等から構成されたジャンルキーワードデータテーブルを読み出し、ＳＩＯ１３を介して映像再生装置１に送信する。
次に、前記ジャンルキーワードデータテーブルをＳＩＯ１１を介して受信した映像再生装置１は、該ジャンルキーワードデータテーブルに基づき、ＲＯＭ５に格納されている映像再生処理プログラムに従って、ＤＶＤ−ＲＯＭ６に格納されている各映像データを順次選択し、ＤＶＤドライブ７により再生出力し、データ読取回路８及び圧縮データ復号化回路９を介してディジタル映像データを生成し、映像出力回路１０に出力する。
次に、映像出力回路１０は入力された前記ディジタル映像データをアナログ映像信号に変調してビデオミキサ２１に同軸ケーブル等を介して出力する。
次に、カラオケ装置２のビデオミキサ２１は、ＭＩＤＩ装置１７からの歌詞データ等と入力された前記アナログ映像信号を合成した映像データを作成してカラオケ曲の演奏に同期させてモニタ２２に出力する。これにより、カラオケ曲情報の演奏に対応させて歌詞表示の背景にＤＶＤ−ＲＯＭ６に格納されている映像データを再生表示できる。
【００２１】
次に、本実施形態の前記映像再生処理プログラム、及び前記ジャンルキーワードデータテーブルについて図２乃至図９に基づき詳細に説明する。図２は本実施形態に係る映像再生処理プログラムのメインフローチャートである。図３は本実施形態に係る映像再生処理プログラムのループ再生処理のサブフローチャートである。図４は本実施形態に係るカラオケ曲情報に付加されたループ再生処理を行うためのジャンルキーワードデータテーブルの一例である。図５は本実施形態に係る映像再生処理プログラムのシャッフル再生処理のサブフローチャートである。図６は本実施形態に係るカラオケ曲情報に付加されたジャンルキーワードデータテーブルをシャッフル処理した一例である。図７は本実施形態に係る映像再生処理プログラムの混合再生処理のサブフローチャートである。図８は本実施形態に係る映像再生処理プログラムの時間指定再生処理のサブフローチャートである。図９は本実施形態に係るカラオケ曲情報に付加された時間指定再生処理を行うためのジャンルキーワードデータテーブルの一例である。
【００２２】
次に、図２に基づき本実施形態に係る映像再生処理プログラムのメイン処理を説明する。先ず、予めＨＤＤ１６に格納されている各カラオケ曲情報には、再生処理選択情報とジャンルキーワードデータテーブルが付加されている。そして、カラオケ装置２は選択されたカラオケ曲情報をＨＤＤ１６から読み出すと、該カラオケ曲情報に付加されている再生処理選択情報とジャンルキーワードデータテーブルをＳＩＯ１３を介して映像再生装置１に送信する。
次に、ＳＩＯ１１を介して前記再生処理選択情報とジャンルキーワードデータテーブルを受信した映像再生装置１は、これらのデータをＲＡＭ４に格納する。次に、映像再生装置１はＲＡＭ４から前記再生処理選択情報を読み出し、該再生処理選択情報がループ再生処理を指定していれば（Ｓ１：ＹＥＳ）、ループ再生処理を行う（Ｓ２）。
また、該再生処理選択情報がループ再生処理を指定せず（Ｓ１：ＮＯ）、シャッフル再生処理を指定していれば（Ｓ３：ＹＥＳ）、シャッフル再生処理を行う（Ｓ４）。
また、該再生処理選択情報がシャッフル再生処理を指定せず（Ｓ３：ＮＯ）、混合再生処理を指定していれば（Ｓ５：ＹＥＳ）、混合再生処理を行う（Ｓ６）。
さらに、該再生処理選択情報が混合再生処理を指定していない場合は（Ｓ５：ＮＯ）、時間指定再生処理を行う（Ｓ７）。
【００２３】
次に、図３と図４に基づきループ再生処理を詳細に説明する。先ず、図３において、映像再生装置１はＲＡＭ４に格納されている前記ジャンルキーワードデータテーブル３０（図４参照）を読み出し、ジャンルキーワードデータテーブル３０の先頭を検索する（Ｓ１１）。
ここで、図４に基づきループ再生処理を行うためのジャンルキーワードデータテーブル３０の構成を説明する。ジャンルキーワードデータテーブル３０は３２個の映像チャプターから構成され、各映像チャプターは再生順番を示す番号、ジャンル識別コードと映像識別コードからなるジャンルキーワード、及び、再生時間を表すＴＩＭＥデータから構成されている。
したがって、番号が１の映像チャプターは一番目に再生され、番号が３２の映像チャプターは３２番目に再生される。
また、番号が１のジャンルキーワードのジャンル識別コードは、「動−Ａ」であり、「動画のＡジャンルの映像」を意味し、映像識別コードは、「Ａ−０−０−１」であり、「Ａ−０−０−１のコード番号の映像データ」を意味する。また、番号が２のジャンルキーワードのジャンル識別コードは、「静−Ａ」であり、「静止画のＡジャンルの映像」を意味し、映像識別コードは、「Ｂ−０−０−１」であり、「Ｂ−０−０−１のコード番号の映像データ」を意味する。また、番号が３２のジャンルキーワードのジャンル識別コードは、「動−Ａ」であり、「動画のＡジャンルの映像」を意味し、映像識別コードは、「Ａ−Ａ１−２−３」であり、「Ａ−Ａ１−２−３のコード番号の映像データ」を意味する。
さらに、ＴＩＭＥデータは映像を再生する時間を意味し、番号が１の映像チャプタのようにＴＩＭＥデータが無い場合はジャンルキーワードで指定される映像データを全部再生する。また、番号が２の映像チャプタのようにＴＩＭＥデータが「５秒」の場合は、ジャンルキーワードで指定される映像データを５秒間再生することを意味する。
【００２４】
次に、図３において、ジャンルキーワードデータテーブル３０の先頭を検索すると（Ｓ１１）、番号が１の映像チャプタのジャンルキーワードによって指定される「動画のＡジャンルの映像識別コードがＡ−０−０−１」の映像データをＤＶＤ−ＲＯＭ６より選択し、カラオケ装置２から各ＳＩＯ１１、１３を介して、カラオケ演奏開始信号を受信すると、ＤＶＤドライブ７により映像データの再生を開始する（Ｓ１２）。
次に、映像チャプターの再生が開始されると、カラオケ曲情報の演奏終了信号がカラオケ装置２から各ＳＩＯ１１、１３を介して入力されていないかどうかチェックし（Ｓ１３）、演奏終了信号が入力されていれば（Ｓ１３：ＹＥＳ）、映像再生を終了する。
また、演奏終了信号が入力されていなければ（Ｓ１３：ＮＯ）、前記映像チャプターを最後まで再生し（Ｓ１４：ＮＯ）、最後まで再生すると（Ｓ１４：ＹＥＳ）、ジャンルキーワードデータテーブル３０の次の番号の映像チャプタを検索する（Ｓ１５）。
そして、次の番号の映像チャプターがあれば（Ｓ１６：ＮＯ）、次の番号の映像チャプターによって指定される映像データをＤＶＤ−ＲＯＭ６より選択し、ＤＶＤドライブ７により映像データの再生を開始する（Ｓ１２）。
また、次の番号の映像チャプターが無い場合は（Ｓ１６：ＹＥＳ）、再度、ジャンルキーワードデータテーブル３０の先頭を検索し（Ｓ１１）、演奏終了信号が入力されるまで、ループ再生処理を続ける。
【００２５】
次に、図５と図６に基づきシャッフル再生処理を詳細に説明する。先ず、図５において、映像再生装置１はＲＡＭ４に格納されている前記ジャンルキーワードデータテーブル３０を読み出し、ジャンルキーワードデータテーブル３０の先頭を検索する（Ｓ２１）。
次に、シャッフル処理について図６に示すシャッフル処理されたジャンルキーワードデータテーブル３１に基づき説明する。本実施形態に係るシャッフル処理は、読み出したジャンルキーワードデータテーブル３０の各映像チャプタのジャンルキーワードを読み込み、前記ジャンルキーワードのジャンル識別コードによって指定されるジャンルの未再生の映像データからランダムに一の映像データを選択し、該一の映像データの映像識別コードと前記ジャンルキーワードの映像識別コードとを置き換える処理である。このようにして作成されたジャンルキーワードデータテーブル３１を、再度、ＲＡＭ４に格納する。
したがって、ジャンルキーワードデータテーブル３１の構成は、ジャンルキーワードデータテーブル３０の構成と同じである。よって、ジャンルキーワードデータテーブル３１の番号が１の映像チャプターのジャンルキーワードの映像識別コードは「Ａ−０−０−１」から「Ｂ−０−０−１」に置き換えられ、また、番号が２の映像チャプターのジャンルキーワードの映像識別コードは「Ｂ−０−０−１」から「Ａ−１−２−３」に置き換えられ、さらに、番号が３２の映像チャプターのジャンルキーワードの映像識別コードは「Ａ−Ａ１−２−３」から「Ｂ−０−０−３」に置き換えられている。
【００２６】
次に、図５において、ジャンルキーワードデータテーブル３０の先頭を検索すると（Ｓ２１）、上記シャッフル処理をジャンルキーワードデータテーブル３０に対して行い、ジャンルキーワードデータテーブル３１（図６参照）を作成し、ＲＡＭ４に格納する（Ｓ２２）。
次に、ジャンルキーワードデータテーブル３１の先頭を検索し、番号が１の映像チャプターのジャンルキーワードによって指定される「動画のＡジャンルの映像識別コードがＢ−０−０−１」の映像データをＤＶＤ−ＲＯＭ６より選択し、カラオケ装置２から各ＳＩＯ１１、１３を介して、カラオケ演奏開始信号を受信すると、ＤＶＤドライブ７により映像データの再生を開始する（Ｓ２３）。
次に、映像チャプターの再生が開始されると、カラオケ曲情報の演奏終了信号がカラオケ装置２から各ＳＩＯ１１、１３を介して入力されていないかどうかチェックし（Ｓ２４）、演奏終了信号が入力されていれば（Ｓ２４：ＹＥＳ）、映像再生を終了する。
また、演奏終了信号が入力されていなければ（Ｓ２４：ＮＯ）、前記映像チャプターを最後まで再生し（Ｓ２５：ＮＯ）、最後まで再生すると表示履歴をＲＡＭ４に記憶し（Ｓ２５：ＹＥＳ）、ジャンルキーワードデータテーブル３１の次の番号の映像チャプタを検索する（Ｓ２６）。
そして、次の番号の映像チャプターがあれば（Ｓ２７：ＮＯ）、次の番号の映像チャプターによって指定される映像データをＤＶＤ−ＲＯＭ６より選択し、ＤＶＤドライブ７により映像データの再生を開始する（Ｓ２３）。
また、次の番号の映像チャプターが無い場合は（Ｓ２７：ＹＥＳ）、再度、ジャンルキーワードデータテーブル３１の先頭を検索し（Ｓ２１）、再度、ジャンルキーワードデータテーブル３１のシャッフル処理を行い（Ｓ２２）、演奏終了信号が入力されるまで、シャッフル再生処理を続ける。
【００２７】
次に、図７に基づき混合再生処理を詳細に説明する。先ず、図７において、映像再生装置１はＲＡＭ４に格納されている前記ジャンルキーワードデータテーブル３０（図４参照）を読み出し、ジャンルキーワードデータテーブル３０の先頭を検索する（Ｓ３１）。
次に、ジャンルキーワードデータテーブル３０の先頭を検索すると（Ｓ３１）、番号が１の映像チャプタのジャンルキーワードによって指定される「動画のＡジャンルの映像識別コードがＡ−０−０−１」の映像データをＤＶＤ−ＲＯＭ６より選択し、カラオケ装置２から各ＳＩＯ１１、１３を介して、カラオケ演奏開始信号を受信すると、ＤＶＤドライブ７により映像データの再生を開始する（Ｓ３２）。
次に、映像チャプターの再生が開始されると、カラオケ曲情報の演奏終了信号がカラオケ装置２から各ＳＩＯ１１、１３を介して入力されていないかどうかチェックし（Ｓ３３）、演奏終了信号が入力されていれば（Ｓ３３：ＹＥＳ）、映像再生を終了する。
また、演奏終了信号が入力されていなければ（Ｓ３３：ＮＯ）、前記映像チャプターを最後まで再生し（Ｓ３４：ＮＯ）、最後まで再生すると表示履歴をＲＡＭ４に記憶し（Ｓ３４：ＹＥＳ）、ジャンルキーワードデータテーブル３０の次の番号の映像チャプタを検索する（Ｓ３５）。
そして、次の番号の映像チャプターがあれば（Ｓ３６：ＮＯ）、次の番号の映像チャプターによって指定される映像データをＤＶＤ−ＲＯＭ６より選択し、ＤＶＤドライブ７により映像データの再生を開始する（Ｓ３２）。
また、次の番号の映像チャプターが無い場合は（Ｓ３６：ＹＥＳ）、ジャンルキーワードデータテーブル３０の上記シャッフル処理を行い（図５、Ｓ２２のシャッフル処理参照）、ジャンルキーワードデータテーブル３１（図６参照）を作成し、ＲＡＭ４のジャンルキーワードデータテーブル３０と置き換える（Ｓ３７）。そして、再度、ジャンルキーワードデータテーブル３１の先頭を検索し（Ｓ３１）、演奏終了信号が入力されるまで、混合再生処理を続ける。
【００２８】
次に、図８と図９に基づき時間指定再生処理を詳細に説明する。先ず、図８において、映像再生装置１はＲＡＭ４に格納されている前記ジャンルキーワードデータテーブル３２（図９参照）を読み出し、ジャンルキーワードデータテーブル３２の先頭を検索する（Ｓ１１）。
ここで、図９に基づき時間指定再生処理を行うためのジャンルキーワードデータテーブル３２の構成を説明する。ジャンルキーワードデータテーブル３２は３２個の映像チャプターから構成され、各映像チャプターは再生順番を示す番号、ジャンル識別コードと映像識別コードからなるジャンルキーワード、及び、再生時間を表すＴＩＭＥデータから構成されている。したがって、ジャンルキーワードデータテーブル３２の構成は、ジャンルキーワードデータテーブル３０及びジャンルキーワードデータテーブル３１の構成と同じである。
したがって、番号が１の映像チャプターは一番目に再生され、番号が３２の映像チャプターは３２番目に再生される。
また、番号が１のジャンルキーワードのジャンル識別コードは、「動−Ａ」であり、「動画のＡジャンルの映像」を意味し、映像識別コードは、「Ｂ−０−０−１」であり、「Ｂ−０−０−１のコード番号の映像データ」を意味する。また、番号が２のジャンルキーワードのジャンル識別コードは、「静−Ａ」であり、「静止画のＡジャンルの映像」を意味し、映像識別コードは、「Ａ−０−０−２」であり、「Ａ−０−０−２のコード番号の映像データ」を意味する。また、番号が３２のジャンルキーワードのジャンル識別コードは、「動−Ａ」であり、「動画のＡジャンルの映像」を意味し、映像識別コードは、「Ｂ−Ａ１−２−３」であり、「Ｂ−Ａ１−２−３のコード番号の映像データ」を意味する。
さらに、ＴＩＭＥデータは映像を再生する時間を意味し、番号が１の映像チャプタのようにＴＩＭＥデータが「１５秒」の場合はジャンルキーワードで指定される映像データを１５秒間再生することを意味する。また、番号が２の映像チャプタのようにＴＩＭＥデータが「５秒」の場合は、ジャンルキーワードで指定される映像データを５秒間再生することを意味する。また、番号が３２の映像チャプタのようにＴＩＭＥデータが「３０秒」の場合は、ジャンルキーワードで指定される映像データを３０秒間再生することを意味する。
【００２９】
次に、図８において、ジャンルキーワードデータテーブル３２の先頭を検索すると（Ｓ４１）、番号が１の映像チャプタのジャンルキーワードによって指定される「動画のＡジャンルの映像識別コードがＢ−０−０−１」の映像データをＤＶＤ−ＲＯＭ６より選択し、カラオケ装置２から各ＳＩＯ１１、１３を介して、カラオケ演奏開始信号を受信すると、ＤＶＤドライブ７により映像データの再生を開始する（Ｓ４２）。
次に、映像チャプターの再生が開始されると、カラオケ曲情報の演奏終了信号がカラオケ装置２から各ＳＩＯ１１、１３を介して入力されていないかどうかチェックし（Ｓ４３）、演奏終了信号が入力されていれば（Ｓ４３：ＹＥＳ）、映像再生を終了する。
また、演奏終了信号が入力されていなければ（Ｓ４３：ＮＯ）、前記映像チャプターをＴＩＭＥデータによって１５秒間再生し（Ｓ４４：ＮＯ）、１５秒間再生すると（Ｓ４４：ＹＥＳ）、ジャンルキーワードデータテーブル３２の次の番号の映像チャプタを検索する（Ｓ４５）。
そして、次の番号の映像チャプターがあれば（Ｓ４６：ＮＯ）、次の番号の映像チャプターによって指定される映像データをＤＶＤ−ＲＯＭ６より選択し、ＤＶＤドライブ７により映像データの再生を開始する（Ｓ４２）。
また、次の番号の映像チャプターが無い場合は（Ｓ４６：ＹＥＳ）、再度、ジャンルキーワードデータテーブル３２の先頭を検索し（Ｓ４１）、演奏終了信号が入力されるまで、時間指定再生処理を続ける。
【００３０】
以上詳細に説明した通り、本実施形態に係る映像再生装置１では、予め、カラオケ曲情報に再生処理選択情報とジャンルキーワードデータテーブルが付加されており、カラオケ装置２から前記再生処理選択情報とジャンルキーワードデータテーブルが映像再生装置１に送信され、前記映像再生装置１は該再生処理選択情報とジャンルキーワードデータテーブルに基づき、各映像データの再生処理を行う。
したがって、各カラオケ曲の内容により合致した映像データの再生処理を選択することが可能になるとともに、より少ない映像データ数で効率的な映像再生処理が可能になる。
また、同じ編集映像データを繰り返さずに表示することが可能であるとともに、曲の内容により合致した映像を表示することが可能になる。さらに、再生された編集映像データの全体としての統一性が高まるとともに、利用者により違和感を抱かせることが無く、視覚的効果を高めることが可能になる。
また、同じカラオケ曲情報を繰り返し演奏しても、違う背景画を表示することが可能になるとともに、映像再生装置１のＤＶＤ−ＲＯＭ６に記憶する編集映像データをより効率的に利用することが可能になる。
また、映像再生装置１のＤＶＤ−ＲＯＭ６に記憶する編集映像データのデータ数を少なくしても、違う背景画を表示することが可能になり、映像再生装置１の映像データを記憶するための記憶装置をよりコンパクト化することが可能になる。
【００３１】
尚、本発明は前記実施形態に限定されるものではなく、本発明の要旨を逸脱しない範囲内で種々の改良、変形が可能であることは勿論であり、以下のようにしてもよい。
（ａ）前記実施形態ではジャンルキーワードが６個の文字の組み合わせであったが、もっと数を増やして、ジャンル識別コードや映像識別コードを細分化してもよい。
（ｂ）前記実施形態では映像データの格納装置としてＤＶＤ−ＲＯＭ６を用いているが、ＣＤ−ＲＯＭ、ＨＤＤ、若しくはＭＯ（光磁気ディスク）等を用いてもよい。
【００３２】
【発明の効果】
【００３３】
また、請求項１に係る映像再生装置においては、カラオケ曲情報から前記再生コード情報を読み出し、該再生コード情報の各再生コードのジャンル識別コードに対応する映像ジャンルに属する編集映像データから、表示履歴記憶手段に記憶されている表示履歴が未表示の一の編集映像データをランダムに選び、前記一の編集映像データの映像識別コードを前記再生コード情報の各再生コードの映像識別コードと置き換えて記憶し、該再生コード情報に基づいて、再生コードの並び順に各再生コードに対応する編集映像データをカラオケ曲情報の演奏に合わせて表示するとともに表示履歴を記憶し、全ての再生コードに対応する編集映像データを表示し終えると、再度、前記再生コード情報を読み出し、該再生コード情報の各再生コードのジャンル識別コードに対応する映像ジャンルに属する編集映像データから、表示履歴記憶手段に記憶されている表示履歴が未表示の一の編集映像データをランダムに選び、前記一の編集映像データの映像識別コードを前記再生コード情報の各再生コードの映像識別コードと置き換えて記憶し、該再生コード情報に基づいて、再生コードの並び順に各再生コードに対応する編集映像データをカラオケ曲情報の演奏に合わせて表示する。
これにより、同じ編集映像データを繰り返さずに表示することが可能であり、また、曲の内容に合致した映像を表示することが可能な映像再生装置を提供することができる。さらに、再生された編集映像データに全体としての統一性が有り、利用者に違和感を抱かせることが無く、視覚的効果を高めることが可能な映像再生装置を提供することができる。
また、同じカラオケ曲情報を繰り返し演奏しても、違う背景画を表示することが可能になるとともに、映像再生装置の記憶する編集映像データをより効率的に利用することが可能な映像再生装置を提供することができる。
【００３４】
また、請求項２に係る映像再生装置においては、カラオケ曲情報から前記再生コード情報を読み出し、該再生コード情報の再生コードの並び順に各再生コードに対応する編集映像データをカラオケ曲情報の演奏に合わせて表示し、前記表示履歴記憶手段に表示履歴を記憶する。
そして、全ての再生コードに対応する編集映像データを再生コードの並び順に表示し終えると、再び前記再生コード情報を読み出し、該再生コード情報の各再生コードのジャンル識別コードに対応する映像ジャンルに属する編集映像データから、表示履歴記憶手段に記憶されている表示履歴が未表示の一の編集映像データをランダムに選び、前記一の編集映像データの映像識別コードを前記再生コード情報の各再生コードの映像識別コードと置き換えて記憶し、該再生コード情報に基づいて、再生コードの並び順に各再生コードに対応する編集映像データをカラオケ曲情報の演奏に合わせて表示し、前記表示履歴記憶手段に表示履歴を記憶する。そして、全ての再生コードに対応する編集映像データを表示し終えると、再度、前記再生コード情報を読み出し、該再生コード情報の各再生コードのジャンル識別コードに対応する映像ジャンルに属する編集映像データから、表示履歴記憶手段に記憶されている表示履歴が未表示の一の編集映像データをランダムに選び、前記一の編集映像データの映像識別コードを前記再生コード情報の各再生コードの映像識別コードと置き換えて記憶し、該再生コード情報に基づいて、再生コードの並び順に各再生コードに対応する編集映像データをカラオケ曲情報の演奏に合わせて表示し、前記表示履歴記憶手段に表示履歴を記憶する。
これにより、同じ編集映像データを繰り返さずに表示することが可能であり、また、曲の内容に合致した映像を表示することが可能な映像再生装置を提供することができる。さらに、再生された編集映像データに全体としての統一性が有り、利用者に違和感を抱かせることが無く、視覚的効果を高めることが可能な映像再生装置を提供することができる。
また、映像再生装置の記憶する編集映像データのデータ数を少なくしても、違う背景画を表示することが可能になり、映像再生装置の記憶装置をよりコンパクト化することが可能な映像再生装置を提供することができる。
【００３５】
【００３６】
【図面の簡単な説明】
【図１】  本実施形態に係る映像再生装置のシステム構成を示すブロック図である。
【図２】  本実施形態に係る映像再生処理プログラムのメインフローチャートである。
【図３】  本実施形態に係る映像再生処理プログラムのループ再生処理のサブフローチャートである。
【図４】  本実施形態に係るカラオケ曲情報に付加された、ループ再生処理を行うためのジャンルキーワードデータテーブルの一例である。
【図５】  本実施形態に係る映像再生処理プログラムのシャッフル再生処理のサブフローチャートである。
【図６】  本実施形態に係るカラオケ曲情報に付加されたジャンルキーワードデータテーブルをシャッフル処理した一例である。
【図７】  本実施形態に係る映像再生処理プログラムの混合再生処理のサブフローチャートである。
【図８】  本実施形態に係る映像再生処理プログラムの時間指定再生処理のサブフローチャートである。
【図９】  本実施形態に係るカラオケ曲情報に付加された、時間指定再生処理を行うためのジャンルキーワードデータテーブルの一例である。
【符号の説明】
１          映像再生装置
２          カラオケ装置
３、１２    ＣＰＵ
４、１４    ＲＡＭ
５、１５    ＲＯＭ
６          ＤＶＤ−ＲＯＭ
７          ＤＶＤドライブ
１０        映像出力回路
２１        ビデオミキサ
２２        モニタ
【図１】
0003987602.tif 000002
【図２】
0003987602.tif 000003
【図３】
0003987602.tif 000004
【図４】
0003987602.tif 000005
【図５】
0003987602.tif 000006
【図６】
0003987602.tif 000007
【図７】
0003987602.tif 000008
【図８】
0003987602.tif 000009
【図９】
0003987602.tif 000010